(57)【特許請求の範囲】
【請求項１】
内部に車室内に吹き出す空気を流通するための空気通路が形成された空調ケース（２１）と、
前記空調ケース（２１）内に設けられ、前記空調ケース（２１）内を流れる空気と冷媒とを熱交換する第１熱交換器（２２）と、
前記空調ケース（２１）内の前記第１熱交換器（２２）より下流側に設けられ、前記第１熱交換器（２２）で熱交換された空気を加熱する第２熱交換器（２３）と、
前記空調ケース（２１）内の前記第１熱交換器（２２）より下流側に設けられ、前記第２熱交換器（２３）をバイパスして前記第１熱交換器（２２）で熱交換された空気を流すバイパス通路（２５）と、
前記第２熱交換器（２３）を通過する風と前記バイパス通路（２５）を通過する風との風量割合を調節するための１枚のドア本体部（２８２）を有するエアミックスドア（２８）と、
前記空調ケース（２１）内に設けられ、前記第１熱交換器（２２）を通過した空気が流出する第１熱交換器流出口（２９）と、
前記空調ケース（２１）内の前記第１熱交換器流出口（２９）より下流側に設けられ、前記第２熱交換器（２３）を通過する空気が流入する第２熱交換器流入口（２６）と、
前記空調ケース（２１）内の前記第１熱交換器流出口（２９）より下流側に設けられ、前記バイパス通路（２５）を通過する空気が流入するバイパス通路流入口（２７）と、を備え、
前記エアミックスドア（２８）は、前記ドア本体部（２８２）に連結された回転軸（２８１）を有するとともに、前記ドア本体部（２８２）が前記回転軸（２８１）を中心とする円弧状に形成され、
前記ドア本体部（２８２）は、前記回転軸（２８１）が駆動されて、前記第１熱交換器流出口（２９）、前記第２熱交換器流入口（２６）、および前記バイパス通路流入口（２７）の各開口面に沿って回動し、
前記ドア本体部（２８２）は、前記第２熱交換器（２３）を通過する風と前記バイパス通路（２５）を通過する風との風量割合を調節するときには、前記回転軸（２８１）が駆動されて、前記第２熱交換器流入口（２６）を全閉し、かつ前記バイパス通路流入口（２７）を全開する位置と、前記第２熱交換器流入口（２６）を全開し、かつ前記バイパス通路流入口（２７）を全閉する位置とにわたって回動して、前記第２熱交換器流入口（２６）と前記バイパス通路流入口（２７）との開口面積比を調節し、
前記ドア本体部（２８２）は、前記第１熱交換器（２２）の下流側において前記空気通路を全閉する位置にまで回動可能であって、前記第１熱交換器（２２）の下流側において前記空気通路を全閉するときには、前記回転軸（２８１）が駆動されて、前記第１熱交換器流出口（２９）を閉塞することを特徴とする車両用空調装置。
【請求項２】
前記第２熱交換器流入口（２６）と前記バイパス通路流入口（２７）とは、前記ドア本体部（２８２）の移動方向の開口幅（Ｂ、Ｃ）が略同一に形成され、
前記第１熱交換器流出口（２９）は、前記ドア本体部（２８２）移動方向の開口幅（Ａ）が、前記第２熱交換器流入口（２６）の前記開口幅（Ｂ）に対し略同一もしくは小さくなるように形成されていることを特徴とする請求項１に記載の車両用空調装置。
【請求項３】
前記空調ケース（２１）は、前記第１熱交換器流出口（２９）より上流側に、前記空調ケース（２１）内の水を車室外に排出するための排出口（２１１）を有することを特徴とする請求項１または請求項２に記載の車両用空調装置。
【請求項４】
前記第１熱交換器（２２）から冷媒が漏出した場合に、前記ドア本体部（２８２）により前記第１熱交換器（２２）の下流側において前記空気通路を全閉することを特徴とする請求項１ないし請求項３のいずれか１つに記載の車両用空調装置。
【請求項５】
前記空調ケース（２１）内に車室内に吹き出す空気を送風する送風機（１１）を備え、
前記送風機（１１）が停止しているときに、車両の走行に伴なうラム圧力により前記空調ケース（２１）内に風が発生した場合に、前記ドア本体部（２８２）により前記第１熱交換器（２２）の下流側において前記空気通路を全閉することを特徴とする請求項１ないし請求項４のいずれか１つに記載の車両用空調装置。
【請求項６】
始動時に前記第１熱交換器（２２）の表面に水が付着している場合には、前記第１熱交換器（２２）の表面が乾燥するまで、前記ドア本体部（２８２）により前記第１熱交換器（２２）の下流側において前記空気通路を全閉することを特徴とする請求項１ないし請求項５のいずれか１つに記載の車両用空調装置。
【請求項７】
前記第１熱交換器（２２）により前記空調ケース（２１）内を流れる空気を冷却する場合には、前記第１熱交換器（２２）の表面が所定温度以下となるまで、前記ドア本体部（２８２）により前記第１熱交換器（２２）の下流側において前記空気通路を全閉することを特徴とする請求項１ないし請求項６のいずれか１つに記載の車両用空調装置。
【発明の詳細な説明】
【技術分野】
【０００１】
本発明は、車両用空調装置に関し、温度の異なる空気の風量割合を調節するエアミックスドアを備える車両用空調装置に関する。
【背景技術】
【０００２】
従来技術として、下記特許文献１に開示された車両用空調装置がある。この従来技術では、車室内に吹き出す空気と冷媒とを熱交換する熱交換器から冷媒漏れが発生したときには、この熱交換器より下流側において車室内に吹き出す空気の通路を閉塞する車両用空調装置が開示されている。
【０００３】
この車両用空調装置は、前記熱交換器より下流側にヒータコアへの通過風量を調節するエアミックスドアを備えており、前記熱交換器より下流側における空気通路の閉塞は、エアミックスドアと他のドアとを組み合わせて行なうものや、フィルムタイプのエアミックスドアにより行なうものが示されている。
【特許文献１】特開２００４−１６７０号公報
【発明の開示】
【発明が解決しようとする課題】
【０００４】
しかしながら、上記従来技術の車両用空調装置では、前者の場合には、空気通路を閉塞するためにエアミックスドア以外のドアを必要とする。また、後者の場合には、フィルムドアにエアミックスのための開口領域以外に空気通路を閉塞するための領域が必要になる。これらのように、いずれの場合も空気通路を閉塞するためのドアの構成が複雑になるという問題がある。
【０００５】
本発明は、上記点に鑑みてなされたものであり、空気通路を閉塞するためのドアが複雑になることを防止することが可能な車両用空調装置を提供することを目的とする。
【課題を解決するための手段】
【０００６】
上記目的を達成するため、請求項１に記載の発明では、
内部に車室内に吹き出す空気を流通するための空気通路が形成された空調ケース（２１）と、
空調ケース（２１）内に設けられ、空調ケース（２１）内を流れる空気と冷媒とを熱交換する第１熱交換器（２２）と、
空調ケース（２１）内の第１熱交換器（２２）より下流側に設けられ、第１熱交換器（２２）で熱交換された空気を加熱する第２熱交換器（２３）と、
空調ケース（２１）内の第１熱交換器（２２）より下流側に設けられ、第２熱交換器（２３）をバイパスして第１熱交換器（２２）で熱交換された空気を流すバイパス通路（２５）と、
第２熱交換器（２３）を通過する風とバイパス通路（２５）を通過する風との風量割合を調節するための１枚のドア本体部（２８２）を有するエアミックスドア（２８）と、
空調ケース（２１）内に設けられ、第１熱交換器（２２）を通過した空気が流出する第１熱交換器流出口（２９）と、
空調ケース（２１）内の第１熱交換器流出口（２９）より下流側に設けられ、第２熱交換器（２３）を通過する空気が流入する第２熱交換器流入口（２６）と、
空調ケース（２１）内の第１熱交換器流出口（２９）より下流側に設けられ、バイパス通路（２５）を通過する空気が流入するバイパス通路流入口（２７）と、を備え、
エアミックスドア（２８）は、ドア本体部（２８２）に連結された回転軸（２８１）を有するとともに、ドア本体部（２８２）が回転軸（２８１）を中心とする円弧状に形成され、
ドア本体部（２８２）は、回転軸（２８１）が駆動されて、第１熱交換器流出口（２９）、第２熱交換器流入口（２６）、およびバイパス通路流入口（２７）の各開口面に沿って回動し、
ドア本体部（２８２）は、第２熱交換器（２３）を通過する風とバイパス通路（２５）を通過する風との風量割合を調節するときには、回転軸（２８１）が駆動されて、第２熱交換器流入口（２６）を全閉し、かつバイパス通路流入口（２７）を全開する位置と、第２熱交換器流入口（２６）を全開し、かつバイパス通路流入口（２７）を全閉する位置とにわたって回動して、第２熱交換器流入口（２６）とバイパス通路流入口（２７）との開口面積比を調節し、
ドア本体部（２８２）は、第１熱交換器（２２）の下流側において空気通路を全閉する位置にまで回動可能であって、第１熱交換器（２２）の下流側において空気通路を全閉するときには、回転軸（２８１）が駆動されて、第１熱交換器流出口（２９）を閉塞することを特徴としている。
【０００７】
これによると、エアミックスドア（２８）のドア本体部（２８２）により、第１熱交換器（２２）の下流側において空気通路を全閉することができる。この空気通路の閉塞は、第２熱交換器（２３）を通過する風とバイパス通路（２５）を通過する風との風量割合を調節するためのエアミックスドア（２８）のドア本体部（２８２）によって行なわれ、他のドア等を必要としない。したがって、空気通路を閉塞するためのドアが複雑になることを防止することが可能である。
またエアミックスドア（２８）の回転軸（２８１）を回転駆動するだけで、ドア本体部（２８２）を回動して空気通路を全閉することができる。したがって、空気通路を閉塞するためにエアミックスドア（２８）を回動する機構を簡素化することが可能である。
【００１１】
また、請求項２に記載の発明では、
第２熱交換器流入口（２６）とバイパス通路流入口（２７）とは、ドア本体部（２８２）の移動方向の開口幅（Ｂ、Ｃ）が略同一に形成され、
第１熱交換器流出口（２９）は、ドア本体部（２８２）移動方向の開口幅（Ａ）が、第２熱交換器流入口（２６）の開口幅（Ｂ）に対し略同一もしくは小さくなるように形成されていることを特徴としている。
【００１２】
これによると、第２熱交換器流入口（２６）を全開してバイパス通路流入口（２７）を全閉する状態から、第２熱交換器流入口（２６）を全閉してバイパス通路流入口（２７）を全開する状態まで調節可能なエアミックスドア（２８）のドア本体部（２８２）を設定できる。そして、このエアミックスドア（２８）のドア本体部（２８２）は、第１熱交換器流出口（２９）を全閉することが可能である。
【００１３】
また、請求項３に記載の発明では、空調ケース（２１）は、第１熱交換器流出口（２９）より上流側に、空調ケース（２１）内の水を車室外に排出するための排出口（２１１）を有することを特徴としている。
【００１４】
これによると、エアミックスドア（２８）のドア本体部（２８２）が第１熱交換器流出口（２９）を全閉したときに、第１熱交換器流出口（２９）より上流側のガス等を、排出口（２１１）を介して車室外に排出することができる。
【００１５】
また、請求項４に記載の発明のように、第１熱交換器（２２）から冷媒が漏出した場合に、エアミックスドア（２８）ドア本体部（２８２）により第１熱交換器（２２）の下流側において空気通路を全閉することができる。これによると、車室内に冷媒が吹き出すことを防止できる。
【００１６】
また、請求項５に記載の発明にように、空調ケース（２１）内に車室内に吹き出す空気を送風する送風機（１１）が停止しているときに、車両の走行に伴なうラム圧力により空調ケース（２１）内に風が発生した場合に、ドア本体部（２８２）により第１熱交換器（２２）の下流側において空気通路を全閉することができる。
【００１７】
これによると、送風機（１１）が停止していることを認識しているユーザが、車室内に風が吹き出すことで不快に感じることを防止できる。
【００１８】
また、請求項６に記載の発明のように、空調装置の始動時に第１熱交換器（２２）の表面に水が付着している場合には、第１熱交換器（２２）の表面が乾燥するまで、ドア本体部（２８２）により第１熱交換器（２２）の下流側において空気通路を全閉することができる。
【００１９】
これによると、第１熱交換器（２２）表面の水が水蒸気となって車室内に持ち込まれることを防止できる。したがって、車室の窓ガラスを曇らせることを防止できる。
【００２０】
また、請求項７に記載の発明のように、第１熱交換器（２２）により空調ケース（２１）内を流れる空気を冷却する場合には、第１熱交換器（２２）の表面が所定温度以下となるまで、ドア本体部（２８２）により第１熱交換器（２２）の下流側において空気通路を全閉することができる。
【００２１】
これによると、第１熱交換器（２２）の表面温度が通過する空気を充分に冷却できるようになるまで、車室内への空気の吹き出しを中止できる。したがって、第１熱交換器（２２）の表面温度が所定温度以下となり通過する空気を充分に冷却できるようになったときに、一気に車室内に冷風を吹き出すことができる。
【００２２】
なお、上記各手段に付した括弧内の符号は、後述する実施形態記載の具体的手段との対応関係を示す一例である。
【発明を実施するための最良の形態】
【００２３】
以下、本発明の実施の形態を図に基づいて説明する。
【００２４】
図１は、本発明を適用した一実施形態における車両用空調装置の室内ユニット１の概略構成を示す縦断面図であり、図２は室内ユニット１内に設けられるエアミックスドア２８の概略構造を示す斜視図である。
【００２５】
図１に示すように、本実施形態の車両用空調装置の室内ユニット１は、車室内前方部（又は後方部）の計器盤下方に図１に示す姿勢で設置され、大別して、送風ユニット１０と空調ユニット２０との２つの部分が並設されている。
【００２６】
送風ユニット１０は、室内ユニット１内部に車室内の内気もしくは車室外の外気を吸引するためのものであって、車両幅方向（図１の紙面表裏方向）に図示しない内外気切替箱が配設されている。
【００２７】
送風ユニット１０には、電動送風機１１が備えられている。この送風機１１は、遠心多翼ファン１２と、ファン駆動用モータ１３とを有し、遠心多翼ファン１２はスクロールケーシング１４内に配置されている。
【００２８】
送風ユニット１０のスクロールケーシング１４の空気流れ下流側には、スクロールケーシング１４出口から延びる流路を構成するダクト部１５が形成されている。このダクト部１５は、送風ユニット１０から送風された送風空気を後述する蒸発器２２に導入するためのものである。このダクト部１５により送風ユニット１０の出口部が空調ユニット２０の入口部に接続されている。
【００２９】
空調ユニット２０は、１つの共通の空調ケース２１内に蒸発器（冷房用熱交換器、冷却用熱交換器、本発明の第１熱交換器に相当）２２とヒータコア（暖房用熱交換器、加熱用熱交換器、本発明の第２熱交換器に相当）２３とを内蔵するタイプのものである。
【００３０】
空調ケース２１はポリプロピレンのような、ある程度弾性を有し、強度的にも優れた樹脂の成形品からなり、分割された複数のケースからなる。この分割されたケースは、上記熱交換器２２、２３、後述のドア等の機器を収納した後に、金属バネクリップ、ネジ等の締結手段により一体に結合されて空調ケース２１を構成する。
【００３１】
なお、本実施形態では、空調ケース２１は、スクロールケーシング１４、ダクト部１５とともに一体的に成形されている。
【００３２】
空調ケース２１下方部の前方側の部位には、空気流入口２４が設けられ、この空気流入口２４には、前述の送風ユニット１０から送風される空気がダクト部１５を介して流入する。
【００３３】
空調ケース２１内において、空気流入口２４直後の部位に蒸発器２２が空気通路の全域を横切るように配置されている。この蒸発器２２は、周知のごとく冷凍サイクルの冷媒の蒸発潜熱を空気から吸収して空気を冷却する熱交換器（空気冷媒熱交換器）である。
【００３４】
そして、蒸発器２２の空気流れ下流側（車両上方側）に、ヒータコア２３が配置されている。このヒータコア２３は、蒸発器２２を通過した冷風を再加熱するものであって、その内部に高温のエンジン冷却水（温水）が流れ、この冷却水を熱源として空気を加熱するものである。
【００３５】
また、空調ケース２１内で、ヒータコア２３の図中右方側（車両後方（又は前方）側）部位には、このヒータコア２３をバイパスして空気（冷風）が流れるバイパス通路である冷風バイパス通路２５が形成されている。
【００３６】
そして、ヒータコア２３車両下方側においてヒータコア２３を通過する空気が流入する加熱用開口部（本発明の第２熱交換器流入口に相当）２６、および冷風バイパス通路２５上流端のバイパス用開口部（本発明のバイパス通路流入口に相当）２７には、ヒータコア２３を通る空気（温風）と冷風バイパス通路２５を通る空気（冷風）の風量割合を調整するエアミックスドア２８が配置されている。
【００３７】
ヒータコア２３および冷風バイパス通路２５の下流側（車両上方側）の部位には、冷風バイパス通路２５からの冷風とヒータコア２３からの温風とを合流させて、冷風と温風とを混合させる冷温風混合空間３０が形成されている。
【００３８】
空調ケース２１の上面部において、車両前方（又は後方）側の部位には、デフロスタ開口部３１が開口している。このデフロスタ開口部３１は冷温風混合空間３０から温度制御された空気が流入するものである。デフロスタ開口部３１は、図示しないデフロスタダクトを介してデフロスタ吹出口に接続され、この吹出口から、車両前面窓ガラスの内面に向けて風を吹き出す。
【００３９】
空調ケース２１の上面部において、デフロスタ開口部３１よりも車両後方（又は前方）側の部位には、フェイス開口部３２が開口している。このフェイス開口部３２は冷温風混合空間３０から温度制御された空気が流入するものである。フェイス開口部３２は、図示しないフェイスダクトを介してフェイス吹出口に接続され、この吹出口から車室内の乗員頭部に向けて風を吹き出す。
【００４０】
また、空調ケース２１の側面部および後方面部には、フェイス開口部３２の下方側にフット開口部３３が開口している。このフット開口部３３も冷温風混合空間３０から温度制御された空気が流入するものである。
【００４１】
このフット開口部３３のうち、空調ケース２１の側面部に開口したフット開口部３３ａは、図示しないフットダクトを介して前席用フット吹出口に接続され、この吹出口から車室内前席側の乗員足元に向けて風を吹き出す。
【００４２】
また、フット開口部３３のうち、空調ケース２１の後方面部に開口したフット開口部３３ｂは、図示しないフットダクトを介して後席用フット吹出口に接続され、この吹出口から車室内後席側の乗員足元に向けて風を吹き出す。
【００４３】
空調ケース２１内のデフロスタ開口部３１とフェイス開口部３２との間には、両開口部３１、３２を開閉するためのデフロスタフェイスドア３４が配設されている。デフロスタフェイスドア３４は、空調ケース２１に回動可能に支持された回転軸３４１と、回転軸３４１に結合された１枚の平板状のドア板部３４２とにより構成される、所謂片持ちドアである。
【００４４】
また、空調ケース２１内のフェイス開口部３２とフット開口部３３との間には、両開口部３２、３３を開閉するためのフェイスフットドア３５が配設されている。フェイスフットドア３５は、空調ケース２１に回動可能に支持された回転軸３５１と、回転軸３５１に結合された２枚の平板状のドア板部３５２、３５３とにより構成される、所謂バタフライドアである。
【００４５】
なお、フット開口部３３ｂを開閉するためのドア板部３５３には、空調ケース２１の側面部に沿って立設部３５４が設けられている。この立設部３５４は、フット開口部３３ｂの開閉に合わせてフット開口部３３ａを開閉するためのドア部である。
【００４６】
すなわち、デフロスタ開口部３１、フェイス開口部３２およびフット開口部３３は、２枚の吹出モードドアであるデフロスタフェイスドア３４およびフェイスフットドア３５により開閉され、設定された吹出モードに応じて各開口部３１、３２、３３から送り出される風量割合が調節される。
【００４７】
前述した本実施形態のエアミックスドア２８は、図２に示すように、空調ケース２１に回動可能に支持された回転軸２８１と、この回転軸２８１を中心とする回転方向に延びる円弧状のドア板部（本発明のドア本体部に相当）２８２と、扇形状の連結板２８３とを有している。この連結板２８３は、ドア板部２８２の軸方向の両端部を回転軸２８１に連結するものである。
【００４８】
なお、エアミックスドア２８のドア板部２８２の周縁部には、空調ケース２１とのシール性を確保するためにエラストマ等の弾性部材からなるシール部材２８２ａが設けられている。
【００４９】
このエアミックスドア２８は、図１に示すように、ドア板部２８２が加熱用開口部２６およびバイパス用開口部２７の開口面積比を調節して、ヒータコア２３を通る空気（温風）と冷風バイパス通路２５を通る空気（冷風）の風量割合を調整するようになっている。
【００５０】
また、エアミックスドア２８は、加熱用開口部２６およびバイパス用開口部２７の並び方向において、加熱用開口部２６より外方にまで移動できるようになっている。
【００５１】
加熱用開口部２６およびバイパス用開口部２７の並び方向における加熱用開口部２６の外方には、蒸発器２２の下流側において蒸発器２２を通過した空気が流出する蒸発器流出口（本発明の第１熱交換器流出口に相当）２９が設けられている。
【００５２】
この蒸発器流出口２９は、開口部２６、２７、２９並び方向（ドア板部２８２移動方向）の開口幅Ａが、加熱用開口部２６の前記並び方向の開口幅Ｂおよびバイパス用開口部２７の前記並び方向の開口幅Ｃと同一となっている。すなわち、各開口部２６、２７、２９の開口幅Ｂ、Ｃ、Ａは全て同一である。
【００５３】
また、蒸発器流出口２９は、エアミックスドア２８の回転軸２８１からの距離が、加熱用開口部２６、バイパス用開口部２７と同一である。
【００５４】
したがって、エアミックスドア２８は、加熱用開口部２６およびバイパス用開口部２７の並び方向において加熱用開口部２６より外方にまで回動して、ドア板部２８２により蒸発器流出口２９を全閉できるようになっている。
【００５５】
また、空調ケース２１には、蒸発器流出口２９より上流側に、空調ケース２１内の水（外部から流入した水や蒸発器２２の表面で生成した凝縮水等）を車室外に排出するためのドレン口（本発明の排出口に相当）２１１が設けられている。
【００５６】
次に、上記構成に基づき本実施形態の車両用空調装置の作動について説明する。
【００５７】
車両用空調装置は、周知のように、空調操作パネルに設けられた各種操作部材からの操作信号および空調制御用の各種センサからのセンサ信号が入力される電子制御装置（図示せず）を備えており、この制御装置の出力信号に基づいて、モータ１３の駆動、エアミックスドア２８や各吹出モードドア３４、３５の位置が制御される。
【００５８】
モータ１３が駆動され遠心多翼ファン１２が回転すると、スクロールケーシング１４内に吸入された空気がダクト部１５を介して空気流入口２４より空調ユニット２０内に流入する。
【００５９】
空気流入口２４から流入した送風空気は、蒸発器２２にて冷却されて冷風となる。この蒸発器２２を通過した冷風は蒸発器流出口２９から流出し、エアミックスドア２８による各開口部２６、２７の開度により、冷風バイパス通路２５を流れる部分と、ヒータコア２３で再加熱される部分とに振り分けられる。
【００６０】
ヒータコア２３で加熱された温風は、冷温風混合空間３０において、冷風バイパス通路２５からの冷風と混合され、吹出モードドア３４、３５により形成された吹出モードに応じて、デフロスタ開口部３１、フェイス開口部３２およびフット開口部３３のいずれか１つもしくは複数を介して車室内に吹き出される。
【００６１】
この車室内に空調空気を吹き出すモードでは、車室内を急速に冷房する最大冷房状態が設定されたときには、図３に示すように、エアミックスドア２８のドア板部２８２が加熱用開口部２６を全閉するとともに、バイパス用開口部２７を全開する。
【００６２】
また、車室内を急速に暖房する最大暖房状態が設定されたときには、図４に示すように、エアミックスドア２８のドア板部２８２がバイパス用開口部２７を全閉するとともに、加熱用開口部２６を全開する。
【００６３】
すなわち、車室内に空調空気を吹き出すモードでは、エアミックドア２８は、図３に示す位置と図４に示す位置との間で回動制御される。
【００６４】
このようにして車室内を空調しているときに、例えば空調ケース２１内の蒸発器２２より下流側に設けた図示しない冷媒検出手段により、蒸発器２２からの冷媒の漏出を検出した場合には、図５に示すように、エアミックスドア２８を下方に回動してドア板部２８２により蒸発器流出口２９を全閉する。
【００６５】
これに伴ない、蒸発器２２から漏出した冷媒は、送風ユニット１０側から空気流入口２４より空調ユニット２０内に流入し蒸発器２２を通過した送風空気とともに、ドレン口２１１から車室外に排出することができる。
【００６６】
上述の構成および作動によれば、車室内に冷媒が吹き出すことを防止することができる。この冷媒吹出防止制御動作は、回動したエアミックスドア２８のドア板部２８２により、蒸発器２２の下流側において蒸発器流出口２９を全閉することによって行なうことができる。したがって、他のドア等を必要としないので、冷媒を遮断するために空気通路を閉塞するためのドアが複雑になることを防止することができる。
【００６７】
エアミックドア２８は、回転軸２８１を駆動して円弧状のドア板部２８２が回動する回動タイプのドアである。したがって、空気通路を閉塞するためにエアミックスドア２８ドア板部２８２を移動する機構を簡素化することができる。
【００６８】
本実施形態では、蒸発器２２から冷媒が空調ケース２１内に漏出した場合に、エアミックスドア２８により蒸発器流出口２９を全閉したが、他の目的を達成する場合に蒸発器流出口２９を閉塞するものであってもよい。
【００６９】
例えば、送風機１１が停止しているときに、車両の走行に伴なうラム圧力により空調ケース２１内に風が発生した場合に、エアミックドア２８ドア板部２８２により蒸発器流出口２９を全閉するものであってもよい。
【００７０】
これによると、送風機１１が停止していることを認識しているユーザが、車室内に風が吹き出すことで不快に感じることを防止できる。
【００７１】
また、空調装置の始動時に蒸発器２２の表面がぬれている場合（水が付着している場合）には、蒸発器２２の表面が乾燥するまで、エアミックドア２８ドア板部２８２により蒸発器流出口２９を全閉し、蒸発器２２の表面が乾燥したら、エアミックスドア２８により通常の温度制御に移行するものであってもよい。
【００７２】
これによると、蒸発器２２表面の水が水蒸気となって車室内に持ち込まれることを防止できる。したがって、デフロスタ吹出モードで始動した場合であっても車室の窓ガラスを曇らせることを防止できる。
【００７３】
また、車室内を冷房する場合には、蒸発器２２の表面が所定温度以下となるまで、エアミックドア２８ドア板部２８２により蒸発器流出口２９を全閉し、蒸発器２２の表面が所定温度以下となったら、通常制御に移行するものであってもよい。
【００７４】
これによると、蒸発器２２の表面温度が通過する空気を充分に冷却できるようになるまで、車室内への空気の吹き出しを中止し、蒸発器２２の表面温度が所定温度以下となり通過する空気を充分に冷却できるようになったときに、一気に車室内に冷風を吹き出すことができる。
【００７５】
（他の実施形態）
上記一実施形態では、エアミックスドア２８は各開口部２６、２７、２９の開口面に沿って回転軸２８１を中心に回動するドア板部２８２を有する回動タイプのドアであったが、これに限定されるものではない。例えば、図６に示すように、ドア板部が各開口部２６、２７、２９の開口面に沿ってスライドするスライドタイプのエアミックスドア１２８であってもよい。
【００７６】
また、上記一実施形態では、エアミックスドア２８のドア板部２８２がヒータコア２３を通過する風と冷風バイパス通路２５を通過する風との風量割合を調節するときには、加熱用開口部２６とバイパス用開口部２７との開口面積比を調節していたが、ヒータコア２３を通過する風と冷風バイパス通路２５を通過する風との風量割合を調節するものであれば、上流側開口部の開口面積比を調節するものに限定されない。
【００７７】
例えば、図７に示すように、ヒータコア２３より下流側の開口部と冷風バイパス通路２５の下流側開口部との開口面積比を調節するものであってもよい。
【００７８】
また、上記一実施形態では、各開口部２６、２７、２９の並び方向の開口幅Ｂ、Ｃ、Ａを全て同一としていたが、加熱用開口部２６の開口幅Ｂとバイパス用開口部２７の開口幅Ｃは略同一であればよく、蒸発器流出口２９の開口幅Ａは、加熱用開口部２６の開口幅Ｂもしくはバイパス用開口部２７の開口幅Ｃと略同一、あるいは開口幅Ｂもしくは開口幅Ｃより小さければよい。蒸発器流出口２９の開口幅Ａは、エアミックス時に調節される開口部２６、２７の開口幅Ｂ、Ｃと同等以下であれば、エアミックスドアにより全閉することが可能である。
【００７９】
また、上記一実施形態において蒸発器流出口２９を全閉すると説明した部位では、エアミックスドア２８のドア板部２８２による厳密な意味での全閉が行なわれる場合に限らず、シール部等から若干の空気漏れがある場合も含んでいる。すなわち、厳密な意味での全閉ではなく、空気通路の空気の流通の大部分を抑止できるものであればよい。風圧等によりシール部から若干の空気漏れがある場合も含む略全閉状態であっても、実質的な全閉状態であると言える。
【００８０】
また、上記一実施形態では、冷媒と空気とを熱交換する第１熱交換器は熱交換により空気を冷却する蒸発器２２であったが、冷媒との熱交換により空気を加熱する熱交換器であってもよい。また、図示しない冷媒循環サイクルを切り替えて、第１熱交換器において空気を冷却する場合と加熱する場合とを切り替えるものであってもよい。
【図面の簡単な説明】
【００８１】
【図１】本発明を適用した一実施形態における車両用空調装置の室内ユニット１の概略構成を示す縦断面図である。
【図２】室内ユニット１内に設けられるエアミックスドア２８の概略構造を示す斜視図である。
【図３】エアミックスドア２８により最大冷房状態が設定されたときの空調ユニット１を示す縦断面図である。
【図４】エアミックスドア２８により最大暖房状態が設定されたときの空調ユニット１を示す縦断面図である。
【図５】エアミックスドア２８により空気通路全閉状態が設定されたときの空調ユニット１を示す縦断面図である。
【図６】他の実施形態における要部縦断面図である。
【図７】他の実施形態における要部縦断面図である。
【符号の説明】
【００８２】
２０  空調ユニット
２１  空調ケース
２２  蒸発器（第１熱交換器、冷媒熱交換器）
２３  ヒータコア（第２熱交換器）
２５  冷風バイパス通路（バイパス通路）
２６  加熱用開口部（第２熱交換器流入口）
２７  バイパス開口部（バイパス通路流入口）
２８  エアミックスドア
２９  蒸発器流出口（第１熱交換器流出口）
２２１  ドレン口（排出口）
２８１  回転軸
２８２  ドア板部（ドア本体部）
【図１】
0004561530.tif 000002
【図２】
0004561530.tif 000003
【図３】
0004561530.tif 000004
【図４】
0004561530.tif 000005
【図５】
0004561530.tif 000006
【図６】
0004561530.tif 000007
【図７】
0004561530.tif 000008